(57)【要約】【課題】  子供の転倒事故時に頭部を保護したり、ゴルフのラウンド時においてプレイヤー等の頭部をゴルフボールの飛来事故から保護すると共に、つぶしてコンパクトな状態にできるようにして収納や持ち運びがし易いようにした保護帽子を提供する。【解決手段】  保護帽子Ｈ１は帽子本体１を備えている。帽子本体１は六枚のれんげ１００を縫い合わせて半球形状の被冠部１０を形成しており、全周につば部１１を設けて構成してある。れんげ１００を縫い合わせた内側の箇所には、帯布１０１が縫い目の全長にわたり縫い付けてある。帯布１０１の端部には、連結帯１０２が全周にわたって環状になるよう縫い付けてある。被冠部１０内には緩衝部材２が設けてある。緩衝部材２は、所要長さを有しており、一端を被冠部１０の中心部に固定し、そこから外縁に向かって間に隙間が形成されるよう螺旋状に設けてある。【選択図】図１
2006124906.tif 000002
【特許請求の範囲】
【請求項１】
緩衝体を内蔵し、外部の衝撃から頭部を保護する保護帽子であって、
柔軟性を有するれんげ(600)を互いに縫い合わせて形成された変形性または柔軟性を有する被冠部(60)を備え、当該被冠部(60)を構成する各れんげ(600)と対応する箇所には、外側が硬く内側がクッション性を有し且つ長さ方向に分割されて複数の小片を備えてなる緩衝体(7)が設けてあり、当該緩衝体の小片は、上記被冠部をつぶす或いは折り畳めるような隙間をあけて設けてあることを特徴とする、
保護帽子。
【発明の詳細な説明】
【技術分野】
【０００１】
本発明は、例えば、幼稚園児など子供の転倒事故や衝突事故時に頭部を保護したり、ゴルフのラウンド時においてプレイヤーやギャラリーの頭部をゴルフボールの飛来事故から保護すると共に、つぶして或いは折り畳んでコンパクトな状態にできるようにして収納や持ち運びがし易いようにした保護帽子に関する。
【背景技術】
【０００２】
幼稚園児などの子供は、転倒したり遊具等にぶつかったりして頭部を怪我し易い。また、小さい子供を自転車の前籠や後籠に載せて買い物等に行く際に転倒し、籠から投げ出された子供が頭部を強打して怪我をするという事故も多く報告されている。
【０００３】
このような事故から怪我を防止するものとして、例えば特許文献１に示す保護帽子が従来から提案されている。この帽子は、表布と裏布との間に、木綿や化学繊維製の繊維体を有するキルティング地を設けて耐衝撃性を備えるよう構成されている。
【０００４】
また、ゴルフのラウンド時において、打ったボールが他のプレイヤーやギャラリーの頭部を直撃するという事故も発生している。ゴルフボールの飛来事故は、死亡事故となる場合もあり大変危険である。
【０００５】
この場合も、例えば特許文献２に示す保護帽子が提案されている。この帽子は、頭部を覆うよう形成された部分の外側全体が硬質の合成樹脂で形成されており、その内側に発泡させた合成樹脂を設けて構成されている。
【０００６】
【特許文献１】実開昭５７−１６２３２５号公報
【特許文献２】実開平３−６３３７０号公報
【発明の開示】
【発明が解決しようとする課題】
【０００７】
しかし、上記した従来の保護帽子には、次のような課題があった。
まず、幼児用の帽子は、耐衝撃性を高めるためにキルティング地が厚目に入れられている。そのため帽子は柔軟性が十分でなく、つぶして或いは折り畳んでコンパクトな状態にし難く収納効率が悪かった。また、帽子を無理につぶしたり折り畳んだりすると型くずれをおこすこともあった。
【０００８】
同様にゴルフ用の帽子も、全体が硬質の合成樹脂で形成されているので、つぶして或いは折り畳んでコンパクトな状態にすることができなかった。そのため収納や持ち運びに不便であった。
【０００９】
本発明の目的は、被冠部をつぶして或いは折り畳んでコンパクトな状態にできるようにして収納や持ち運びがし易いようにした保護帽子を提供することにある。
【課題を解決するための手段】
【００１０】
上記目的を達成するために本発明が講じた手段は次のとおりである。
本発明は、
緩衝体を内蔵し、外部の衝撃から頭部を保護する保護帽子であって、
柔軟性を有するれんげ(600)を互いに縫い合わせて形成された変形性または柔軟性を有する被冠部(60)を備え、当該被冠部(60)を構成する各れんげ(600)と対応する箇所には、外側が硬く内側がクッション性を有し且つ長さ方向に分割されて複数の小片を備えてなる緩衝体(7)が設けてあり、当該緩衝体の小片は、上記被冠部をつぶす或いは折り畳めるような隙間をあけて設けてあることを特徴とする、
保護帽子である。
【００１１】
外部の衝撃から頭部を保護する保護帽子は、変形性または柔軟性を有する被冠部を備えており、当該被冠部の内側にはクッション性を備える緩衝体が、上記被冠部をつぶす或いは折り畳めるようにする隙間をあけて螺旋状、渦巻き状または同心円状に設けてあることが好ましい。
【００１２】
緩衝体は、所要長さを有する細長形状のものを螺旋状または渦巻き状に形成するか、直径を異にする環形状を有するものを同心円状に配置して構成してあることが好ましい。
【００１３】
外部の衝撃から頭部を保護する保護帽子は、変形性または柔軟性を有する被冠部を備えており、当該被冠部全体には外側が硬く内側がクッション性を有する緩衝体の小片が、上記被冠部をつぶす或いは折り畳めるようにする隙間をあけた状態で複数設けてあることが好ましい。
【００１４】
緩衝体には衝撃力を分散する手段が備えてあることが好ましい。
【００１５】
緩衝体は帽子本体に着脱可能に設けてあることが好ましい。
【００１６】
（作  用）
本発明に係る保護帽子は、被冠部を頭部に被って着用する。本発明に係る保護帽子は、被冠部の内側に緩衝体を備えているので、例えば、遊具等に頭部をぶつけた場合でも、緩衝体によって衝撃が和らげられ、頭部の怪我が防止できる。
また、被冠部全体に、外側が硬く内側がクッション性を有する緩衝体の小片が設けてあるものも、例えば、ゴルフボール用のボールが被冠部に当たった場合に、硬い側でボールを跳ね返し、クッション性を有する側によって当たったときの衝撃を和らげることができるので、怪我し難い。
【００１７】
本発明に係る保護帽子は、緩衝体が被冠部内に、被冠部をつぶす或いは折り畳めるようにする隙間をあけて螺旋状、渦巻き状または同心円状に設けてある。また、本発明に係る保護帽子は、緩衝体の小片が、被冠部をつぶす或いは折り畳めるようにする隙間をあけた状態で複数設けてある。従って、例えば、上方から力を加えれば、隙間と対応する部分の被冠部が変形して被冠部をつぶす或いは折り畳むことができる。
【００１８】
緩衝体に衝撃力を分散する手段が備えてあるものは、衝撃を受ける面積を広くして衝撃力が部分的にかからないようにできる。
【００１９】
緩衝体は帽子本体に着脱可能に設けてあるものは、緩衝体を帽子本体から取り外したり、帽子本体に取り付けたりできる。
【発明の効果】
【００２０】
本発明は上記構成を備え、次の効果を有する。
（ａ）本発明に係る保護帽子は、被冠部の内側に緩衝体を備えているので、例えば、遊具等に頭部をぶつけた場合でも、緩衝体によって衝撃が和らげられ、頭部の怪我が防止できる。
また、被冠部全体に、外側が硬く内側がクッション性を有する緩衝体の小片が設けてあるものも、例えば、ゴルフボール用のボールが被冠部に当たった場合に、硬い側でボールを跳ね返し、クッション性を有する側によって当たったときの衝撃を和らげることができるので、怪我をし難い。
【００２１】
（ｂ）本発明に係る保護帽子は、緩衝体が被冠部内に、被冠部をつぶす或いは折り畳めるようにする隙間をあけて螺旋状、渦巻き状または同心円状に設けてある。また、本発明に係る保護帽子は、緩衝体の小片が、被冠部をつぶす或いは折り畳めるようにする隙間をあけた状態で複数設けてある。従って、例えば、上方から力を加えれば、隙間と対応する部分の被冠部が変形して被冠部をつぶす或いは折り畳むことができる。このように保護帽子は、コンパクトな形状にできるので収納効率が良い。また、持ち運び易く、携帯にも便利である。
【００２２】
（ｃ）本発明に係る保護帽子は、緩衝体が隙間をあけて設けてあるので、着用した状態で被冠部内に緩衝体の厚みの分の空気の層を形成することができる。これにより、例えば、夏は蒸れにくく冬は保温効果に優れるという効果を有する。
【００２３】
（ｄ）緩衝体に衝撃力を分散する手段が備えてあるものは、衝撃力が部分的に集中しないようにできるので、衝撃を受けた際の装着者が受ける負担が軽減できる。
【００２４】
（ｅ）緩衝体は帽子本体に着脱可能に設けてあるものは、緩衝体を帽子本体から取り外したり、帽子本体に取り付けたりできる。従って、例えば、緩衝体だけを洗濯したり交換したりできる。また、緩衝体を別の帽子本体に設けることもでき、この場合では例えば自分の好みの帽子を緩衝体付きのものに変えることができる。
【発明を実施するための最良の形態】
【００２５】
本発明の実施の形態を図面に基づき更に詳細に説明する。
図１は本発明に係る保護帽子の第１の実施の形態を示す斜視説明図、
図２は図１に示す保護帽子を下側から見た状態の斜視説明図、
図３は図１に示す保護帽子の底面図である。
【００２６】
符号Ｈ１は幼児用の保護帽子を示している。保護帽子Ｈ１は帽子本体１を備えている。
帽子本体１は、柔軟性を有する略三角形状の六枚のれんげ１００を互いに縫い合わせて半球形状の被冠部（「クラウン」とも言う）１０を形成しており、その被冠部１０の外縁部の全周につば部１１を設けて構成してある。
本実施の形態で帽子本体１を構成する被冠部１０及びつば部１１は綿製の布を用いて形成した。しかし、帽子本体１を形成する材料はこれに限定するものではなく、例えば、絹や麻等の天然繊維製のもの、合成繊維製のものを使用しても良い。
【００２７】
れんげ１００を縫い合わせた内側の箇所には、所要幅を有する帯布１０１が、れんげ１００の縫い目を隠すよう当該縫い目の全長にわたり縫い付けてある。帯布１０１は、被冠部１０の中心部（「クラウントップ」とも言う）で交差するよう三本設けてあり、いわば中心部から放射形状を形成するようしてある。
また、被冠部１０内とつば部１１とが接する部分には、所要幅を有する連結帯１０２が全周にわたって環状になるよう縫い付けてある。連結帯１０２は帯布１０１とも縫い付けてある。
【００２８】
更に被冠部１０内には、外部から受けた衝撃を和らげるための緩衝体である緩衝部材２が設けてある。緩衝部材２は、変形性または柔軟性を有しており、細いチューブ体の内部に固形の緩衝材を充填して所要長さを有するよう形成してある。
本実施の形態でチューブ体内に充填する緩衝材は、小径のパイプ形状を有する合成樹脂材を使用したが、これは限定するものではなく、例えば、繊維状や粒状のものを使用しても良い。また、材料も綿等の天然のものや、ポリエチレン、ポリプロピレン、発泡スチレンや発泡ウレタン等の他の合成樹脂製のものを使用しても良い。
【００２９】
緩衝部材２は、一端を被冠部１０の中心部に固定し、そこから外縁に向かって間に隙間が形成されるよう螺旋状（渦巻き状）に設けて、れんげ１００、帯布１０１や連結帯１０２に縫い付けてある。上記した隙間は、被冠部１０をつぶす或いは折り畳むのを助けるような間隔であれば良い。本実施の形態では１０〜１５ｍｍ程度に設定したが、この隙間の幅は、被冠部１０をつぶす或いは折り畳むのを助けることができれば、特に限定するものではない。
【００３０】
緩衝部材２のつば部１１側において対向する二箇所には、着用時に耳を囲むよう外側に配置される耳保護部３，３が設けてある。耳保護部３，３は、緩衝部材２と同じ材料を使用して形成してあり、両端を間隔をあけて所要箇所に縫い付けて略「Ｕ」字状に設けてある。
耳保護部３，３の下部間には、伸縮可能なゴム紐製のあご紐４が緩やかに架け渡して設けてある。
【００３１】
（作  用）
図４は図１に示す保護帽子を上方から力を加えてつぶした状態を示す斜視説明図である。
図１ないし図４を参照して、本実施の形態で示す保護帽子Ｈ１の作用を説明する。
保護帽子Ｈ１は、被冠部１０を頭部に被り、耳保護部３，３を両方の耳に掛け、あご紐４もあごに掛けて着用する。保護帽子Ｈ１によれば、例えば、遊具等に頭部をぶつけた場合でも、緩衝部材２によって衝撃が和らげられるので頭部の怪我が防止できる。また、耳保護部３，３も緩衝部材と同じ材料で形成してあり緩衝効果を有するので、例えば、ボールが頭部の側部に当たった場合も衝撃を和らげることができる。
【００３２】
保護帽子Ｈ１は、被冠部１０内に緩衝部材２が隙間を設けた状態で螺旋状に設けてあるので、図４に示すように上方から力を加えれば、この隙間と対応する部分のれんげ１００が変形して、緩衝部材２が隙間があった方向に動くようになる。従って、簡単につぶすことができる。こうして保護帽子Ｈ１は、コンパクトな形状にできるので収納効率が良い。
また、持ち運び易く、携帯にも便利である。
【００３３】
このように保護帽子Ｈ１は、薄く柔軟性を有するれんげ１００が変形するので、つぶして収納していた場合でも、使用時には元の形状にも戻り易く型くずれし難い。
【００３４】
保護帽子Ｈ１は、所要長さを有するチューブ体からなる緩衝部材２を帽子本体１の内面に螺旋状に巻いて設けるだけで良いので製造が簡単である。
【００３５】
また、保護帽子Ｈ１は緩衝部材が隙間を形成するよう設けてあるので、着用した状態でも被冠部１０内に緩衝部材２の厚みの分の空気の層を形成することができる。これにより、例えば、夏は蒸れにくく冬は保温効果に優れるという効果を有する。
【００３６】
本実施の形態において保護帽子Ｈ１は、幼児用のものを一例として示したが、これは限定するものではなく大人用の帽子として構成することもできる。また、帽子本体の形状も図示したものに限定するものではなく、例えば、キャップ状やハット状等の種々の形状のものが採用できる。
【００３７】
本実施の形態において緩衝部材２は、細いチューブ体の内部に固形の緩衝材を充填して形成したものを使用したが、これは限定するものではなく、緩衝性と共に変形性や柔軟性等を有していれば、例えば、チューブに気体や液体（ジェル状を含む）を充填したものを使用しても良いし、予め緩衝部材が中実状に形成してあるものものを使用しても良い。例えば、液体を充填したものの場合は、この液体を温めたり冷やしたりすることで、頭部を温めたり冷やしたりできる効果も持たせることができる。
【００３８】
図５は本発明に係る保護帽子の第２の実施の形態を示す底面図である。
なお、図５において、上記図１ないし図４で示したものと同一または同等箇所には同一の符号を付して示している。また、以下の説明において構造について上記で示した箇所と重複する説明は、必要な事項を除き省略する。
【００３９】
保護帽子Ｈ２は、直径の異なる環形状の緩衝体である緩衝部材２０、２１、２２、２３を複数備えており同心円状に設けてある。保護帽子Ｈ２の作用は、上記した保護帽子Ｈ１と同じであるので説明は省略する。
【００４０】
図６は本発明に係る保護帽子の第３の実施の形態を示す分解斜視説明図である。
なお、図６において、上記図１ないし図４で示したものと同一または同等箇所には同一の符号を付して示している。また、以下の説明において構造について上記で示した箇所と重複する説明は、必要な事項を除き省略する。
【００４１】
保護帽子Ｈ３は、帽子本体１ａと、帽子本体１ａ内に着脱自在に取り付けられる緩衝体５を備えている。
帽子本体１ａは、れんげ１００を縫い合わせて形成してある被冠部１０と、被冠部１０の外縁部の全周に設けてあるつば部１１を備えており、れんげ１００の縫い合わせ箇所には、表面（下面）に着脱手段を構成する面ファスナーの構成部材を設けた帯布１０１ａが縫い付けてある。
【００４２】
緩衝体５は、上記した被冠部１０の帯布１０１ａと対応するよう放射状に設けてある帯布５０を備えている。帯布５０の表面（上面）には、上記した面ファスナーと着脱可能な構成部材が設けてある。帯布５０の端部には、所要幅を有する帯状の連結帯５１が全周にわたって環状になるよう設けてある。帯布５０及び連結帯５１で構成したものの内側には、所要長さを有する緩衝体である緩衝部材５２が螺旋状（渦巻き状）に縫い付けてある。
緩衝部材５２は上記した緩衝体２と同等の構造を有する。
【００４３】
（作  用）
図６を参照して、本実施の形態で示す保護帽子Ｈ３の作用を説明する。
なお、上記した保護帽子Ｈ１と共通する構成により生じる同様の作用、効果については説明を省略し、相違する点についてのみ説明する。
【００４４】
保護帽子Ｈ３は、緩衝体５を帽子本体１ａの内部に入れ、緩衝体５を構成する帯布５０を、帽子本体１ａを構成する帯布１０１ａに面ファスナーによって着けて一体化した状態で使用される。保護帽子Ｈ３は、このように面ファスナーによって緩衝体５と帽子本体１ａを一体化するので、簡単に分離させることができる。これにより例えば、緩衝体５だけを洗濯したり交換したりできる。また、緩衝体５を別の帽子本体に設けることもでき、この場合では例えば自分の好みの帽子を緩衝体付きのものに変えることもできる。
【００４５】
図７は本発明に係る保護帽子の第４の実施の形態を示す斜視説明図、
図８は図７に示す保護帽子に内蔵してある緩衝体のひとつを拡大して示す一部切り欠き説明図、
図９は図８に示す緩衝体から袋体を取り除いて内部構造を示す説明図、
図１０は保護帽子の一部を横方向に断面した状態を示す断面説明図である。
【００４６】
符号Ｈ４はキャップ状の保護帽子を示している。保護帽子Ｈ４は帽子本体６を備えている。帽子本体６は、柔軟性を有する略三角形状の六枚のれんげ６００を互いに縫い合わせて半球形状の被冠部６０を形成しており、その被冠部６０の一部につば部６１を設けて構成してある。被冠部６０の内面には、網状（メッシュ状）の裏布６０１（図１０参照）が設けてある。
本実施の形態で帽子本体６を構成する被冠部６０及びつば部６１は綿製の布を用いて形成した。しかし、帽子本体６を形成する材料はこれに限定するものではなく、例えば、絹や麻等の天然繊維製のもの、合成繊維製のものを使用しても良い。
【００４７】
れんげ６００と裏布６０１との間には、外部から受けた衝撃を和らげるための緩衝体７が挟まれて内蔵してある。緩衝体７は、被冠部６０を構成する各れんげ６００と略同じ大きさ及び形状を有しており、各れんげ６００と対応するよう六箇所に設けてある。
【００４８】
各緩衝体７は、柔軟性を有する略三角形状の二枚の合成樹脂製の織布７００を重ね合わせ、外縁部の全周を互いに縫い合わせて綴じた袋体７０を有している（図８参照）。袋体７０の内部には衝撃吸収部材７１が設けてある。衝撃吸収部材７１は、もともと袋体７０の形状と同じ略三角形状を有し、被冠部６０の球形状に沿うよう湾曲していたものを、長さ方向に分割して四つの小片からなるよう形成してある。
【００４９】
衝撃吸収部材７１は、外側に硬い合成樹脂製の硬質部７１０を備え、その内側に発泡合成樹脂製の軟質部７１１を重ねることで構成してある。また、硬質部７１０の外面は、山部と谷部が幅方向に連なって凸凹形状を有するよう形成してある（図８，図９，図１０参照）。各小片は、帽子本体６のつば部６１側に配置されるものの方が、中心部側に配置されるものより大きく、また、山部と谷部の幅方向の間隔も広くなるよう形成してある。硬質部７１０の内部には中空部７１２が設けてある（図１０参照）。なお、硬質部７１０の外面に形成した凸凹形状は、緩衝体に衝撃力を分散する手段を構成する。
本実施の形態で衝撃吸収部材７１は、硬質部７１０を硬い合成樹脂で形成し、軟質部７１１を発泡合成樹脂で形成した。しかし、これは限定するものではなく、硬質部は衝突したボール等を跳ね返すことができれば、例えば、金属、竹材、木材等が使用でき、また、軟質部は衝撃を和らげることができれば、例えば、綿等の天然のものや、他の合成樹脂製のもの（発泡していないものも含む）が使用できる。
【００５０】
各衝撃吸収部材７１は、小片と小片との間にそれぞれ所要の隙間を設けた状態で袋体７０内に内蔵される。各衝撃吸収部材７１を内蔵した袋体７０には、上記した隙間と対応する位置にミシン目７０１が設けてあり、小片が袋体７０内でずれて重ならず、間に常に隙間が形成される（図８参照）。
【００５１】
（作  用）
図１１は図７に示す保護帽子を上方から力を加えてつぶした状態を示す斜視説明図である。
図７ないし図１１を参照して、本実施の形態で示す保護帽子Ｈ４の作用を説明する。
【００５２】
保護帽子Ｈ４は被冠部６０を頭部に被って着用する。保護帽子Ｈ４によれば、例えば、ゴルフボール用のボールが被冠部６０に当たった場合でも、衝撃吸収部材７１の硬質部７１０によってボールを跳ね返し、柔軟部７１１によって当たったときの衝撃を和らげることができる。また、衝撃吸収部材７１の硬質部７１０は、中空部７１２を備えており、ボールが当たることによりやや変形可能であるので、このことによっても衝撃が緩和される。従って、ボールが被冠部６０に当たった場合でも怪我をし難い。
【００５３】
更に、保護帽子Ｈ４は、ボールを跳ね返す衝撃吸収部材７１の硬質部７１０が凸凹形状を有するよう形成してあるので、ボールが谷部を跨いで山部に当たる。この場合では、ボールの衝突力を分散させて広い面積で受けるので、衝撃が部分的に集中してかからず、衝撃を受けた際の装着者が受ける負担が軽減される。また、これにより衝撃吸収部材７１も破損し難くなる。なお、衝撃吸収部材７１は小片と小片との間に所要の隙間を設けているが、この隙間はゴルフボールが入り込まない程度に設定してあるので、ボールによる衝撃は確実に衝撃吸収部材７１に当たる。
【００５４】
保護帽子Ｈ４は、衝撃吸収部材７１の小片が袋体内で隙間を設けて形成してあり、しかもミシン目７０１によって各小片が動かないようにしてあるので、図１１に示すように上方から力を与えれば、隙間と対応する部分のれんげ６００を変形させて簡単につぶせる。こうして保護帽子Ｈ４は、コンパクトな形状となり収納効率が良い。また、持ち運び易く、携帯にも便利である。
【００５５】
保護帽子Ｈ４は、薄く柔軟性を有するれんげ６００が変形するので、つぶして収納していた場合でも、使用時には元の形状にも戻り易く型くずれし難い。
【００５６】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００５７】
【図１】本発明に係る保護帽子の第１の実施の形態を示す斜視説明図。
【図２】図１に示す保護帽子を下側から見た状態の斜視説明図。
【図３】図１に示す保護帽子の底面図。
【図４】図１に示す保護帽子を上方から力を加えてつぶした状態を示す斜視説明図。
【図５】本発明に係る保護帽子の第２の実施の形態を示す底面図。
【図６】本発明に係る保護帽子の第３の実施の形態を示す分解斜視説明図。
【図７】本発明に係る保護帽子の第４の実施の形態を示す斜視説明図。
【図８】図７に示す保護帽子に内蔵してある緩衝体のひとつを拡大して示す一部切り欠き説明図。
【図９】図８に示す緩衝体から袋体を取り除いて内部構造を示す説明図。
【図１０】保護帽子の一部を横方向に断面した状態を示す断面説明図。
【図１１】図７に示す保護帽子を上方から力を加えてつぶした状態を示す斜視説明図。
【符号の説明】
【００５８】
Ｈ１，Ｈ２，Ｈ３，Ｈ４  保護帽子
１、１ａ  帽子本体
１０  被冠部
１００  れんげ
１０１、１０１ａ  帯布
１０２  連結帯
１１  つば部
２  緩衝部材
２０  緩衝部材
３  耳保護部
４  あご紐
５  緩衝体
５０  帯布
５１  連結帯
５２  緩衝部材
６  帽子本体
６０  被冠部
６００  れんげ
６０１  裏布
６１  つば部
７  緩衝体
７０  袋体
７００  織布
７０１  ミシン目
７１  衝撃吸収部材
７１０  硬質部
７１１  柔軟部
７１１  軟質部
７１２  中空部
【図１】
2006124906.tif 000003
【図２】
2006124906.tif 000004
【図３】
2006124906.tif 000005
【図４】
2006124906.tif 000006
【図５】
2006124906.tif 000007
【図６】
2006124906.tif 000008
【図７】
2006124906.tif 000009
【図８】
2006124906.tif 000010
【図９】
2006124906.tif 000011
【図１０】
2006124906.tif 000012
【図１１】
2006124906.tif 000013